【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
ネットワークを介して接続された複数の情報処理装置を有するシステムであって、
前記複数の情報処理装置の少なくとも１以上の情報処理装置が、
他の情報処理装置と画面を共有する複数のページを含む表示コンテンツを第１の共有画面に表示させる表示手段と、
前記第１の共有画面上の少なくともページ送り操作を含む入力操作の権限を有している場合に前記入力操作の入力を受け付ける入力操作受付手段と、
前記受け付けた入力操作の操作情報を前記他の情報処理装置へ送信する送信手段と、
前記権限を有している前記他の情報処理装置の第２の共有画面上の入力操作の操作情報を受信する受信手段と、
前記第１の共有画面の前記表示コンテンツの表示に対して、前記受信した操作情報に従って入力操作を描画反映する描画手段と、
表示画面の画面共有モードの設定指示を受け付ける第二の受付手段と、
を有し、
前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、
前記第２のページを表示している際に前記画面共有モードの設定指示に従って前記入力操作を前記共有しない設定から前記共有する設定に切り換えられた場合に、前記受信手段によって受信したページ送り操作の操作情報に従って、前記第１のページが前記第１の共有画面に表示されるように描画反映させることを特徴とするシステム。
【請求項２】
前記少なくとも１以上の情報処理装置のいずれかにおいて、前記共有しない設定に切り換えられた場合に、該設定が切り換えられた情報処理装置において受け付け可能となった前記入力操作は他の情報処理装置の第２の共有画面には描画反映されないことを特徴とする請求項１に記載のシステム。
【請求項３】
前記少なくとも１以上の情報処理装置はさらに、
前記受信した前記操作情報を所定の記憶領域に記録し、
前記少なくとも１以上の情報処理装置のいずれかにおいて、
前記共有しない設定から前記共有する設定に切り換えられた場合に、前記所定の記憶領域に記録された前記操作情報に従って、前記権限を有している他の情報処理装置が前記第２の共有画面に表示しているページと同じページを前記第１の共有画面に描画反映させることを特徴とする請求項１又は請求項２に記載のシステム。
【請求項４】
前記権限を取得するための設定指示に従って、前記入力操作を受け付けない設定を、該入力操作を受け付ける設定に切り換え、前記権限を有している他の情報処理装置において前記入力操作を受け付ける設定を、該入力操作を受け付けない設定に切り換えることによって、前記権限を取得するための設定指示を受け付けた情報処理装置は前記権限を取得することを特徴とする請求項１から請求項３までのいずれか一項に記載のシステム。
【請求項５】
前記少なくとも１以上の情報処理装置は、
前記権限を取得するための設定指示に従って、自装置が前記権限を有さない設定から前記権限を有する設定へ切り換えられる場合に、前記第１の共有画面上の前記入力操作を受け付ける機能を無効から有効とする一方で、前記他の情報処理装置へ該他の情報処理装置の第２の共有画面上の前記入力操作を受け付ける機能を無効にするための通知を送信し、
前記少なくとも１以上の情報処理装置のいずれかにおいて前記権限を取得するための設定指示を受け付けた場合に、該権限を取得するための設定指示を受け付けるまで前記権限を有していた情報処理装置の前記入力操作を受け付ける機能は、前記権限を取得するための設定指示を受け付けた情報処理装置から送信された前記無効にするための通知に基づいて有効から無効となることを特徴とする請求項１から請求項４までのいずれか一項に記載のシステム。
【請求項６】
前記少なくとも１以上の情報処理装置は、
前記表示コンテンツを前記情報処理装置が備える記憶領域または外部の記憶領域から取得することを特徴とする請求項１から請求項５までのいずれか一項に記載のシステム。
【請求項７】
前記少なくとも１以上の情報処理装置は、
利用者によるポインタ操作を受け付けた場合、前記第１の共有画面上のポインタ位置にあたるポインタ位置情報を前記操作情報として送信することを特徴とする請求項１から請求項６までのいずれか一項に記載のシステム。
【請求項８】
前記権限によって制限される前記入力操作はさらに、前記第１の共有画面上のポインタ操作または手書き入力操作のいずれかを含むことを特徴とする請求項１から請求項７までのいずれか一項に記載のシステム。
【請求項９】
前記少なくとも１以上の情報処理装置はさらに、画面共有アプリをインストールしており、
それぞれの画面共有アプリを起動することによって前記表示コンテンツを前記共有画面へ表示させることを特徴とする請求項１から請求項８までのいずれか一項に記載のシステム。
【請求項１０】
前記複数の情報処理装置の各々は、スマートフォンまたはタブレットＰＣであることを特徴とする請求項１から請求項９までのいずれか一項に記載のシステム。
【請求項１１】
前記共有する設定は、共有モードであり、
前記共有しない設定は、非共有モードであり、
前記共有モード又は前記非共有モードの設定指示を受け付けるＧＵＩ（Graphical User Interface）を表示することを特徴とする請求項１から請求項１０までのいずれか一項に記載のシステム。
【請求項１２】
ネットワークを介して接続された複数の情報処理装置を有するシステムが実行する方法あって、
前記複数の情報処理装置の少なくとも１以上の情報処理装置が、
他の情報処理装置と画面を共有する複数のページを含む表示コンテンツを第１の共有画面に表示させる表示工程と、
前記第１の共有画面上の少なくともページ送り操作を含む入力操作の権限を有している場合に前記入力操作の入力を受け付ける入力操作受付工程と、
前記受け付けた入力操作の操作情報を前記他の情報処理装置へ送信する送信工程と、
前記権限を有している前記他の情報処理装置の第２の共有画面上の入力操作の操作情報を受信する受信工程と、
前記第１の共有画面の前記表示コンテンツの表示に対して、前記受信した操作情報に従って入力操作を描画反映する描画工程と、
表示画面の画面共有モードの設定指示を受け付ける第二の受付工程と、
を有し、
前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、
前記第２のページを表示している際に前記画面共有モードの設定指示に従って前記入力操作を前記共有しない設定から前記共有する設定に切り換えられた場合に、前記受信工程によって受信したページ送り操作の操作情報に従って、前記第１のページが前記第１の共有画面に表示されるように描画反映させることを特徴とする方法。
【請求項１３】
ネットワークを介して接続された複数の情報処理装置を有するシステムにおける前記情報処理装置であって、
他の情報処理装置と画面を共有する複数のページを含む表示コンテンツを第１の共有画面に表示させる表示手段と、
前記第１の共有画面上の少なくともページ送り操作を含む入力操作の権限を有している場合に前記入力操作の入力を受け付ける入力操作受付手段と、
前記受け付けた入力操作の操作情報を前記他の情報処理装置へ送信する送信手段と、
前記権限を有している前記他の情報処理装置の第２の共有画面上の入力操作の操作情報を受信する受信手段と、
前記第１の共有画面の前記表示コンテンツの表示に対して、前記受信した操作情報に従って入力操作を描画反映する描画手段と、
表示画面の画面共有モードの設定指示を受け付ける第二の受付手段と、
を有し、
前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、
前記第２のページを表示している際に前記画面共有モードの設定指示に従って前記入力操作を前記共有しない設定から前記共有する設定に切り換えられた場合に、前記受信手段によって受信したページ送り操作の操作情報に従って、前記第１のページが前記第１の共有画面に表示されるように描画反映させることを特徴とする情報処理装置。
【請求項１４】
ネットワークを介して接続された複数の情報処理装置を有するシステムにおける前記情報処理装置を構成するコンピュータを、
他の情報処理装置と画面を共有する複数のページを含む表示コンテンツを第１の共有画面に表示させる表示手段、
前記第１の共有画面上の少なくともページ送り操作を含む入力操作の権限を有している場合に前記入力操作の入力を受け付ける入力操作受付手段、
前記受け付けた入力操作の操作情報を前記他の情報処理装置へ送信する送信手段、
前記権限を有している前記他の情報処理装置の第２の共有画面上の入力操作の操作情報を受信する受信手段、
前記第１の共有画面の前記表示コンテンツの表示に対して、前記受信した操作情報に従って入力操作を描画反映する描画手段、
表示画面の画面共有モードの設定指示を受け付ける第二の受付手段、
として機能させ、
前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、
前記第２のページを表示している際に前記画面共有モードの設定指示に従って前記入力操作を前記共有しない設定から前記共有する設定に切り換えられた場合に、前記受信手段によって受信したページ送り操作の操作情報に従って、前記第１のページが前記第１の共有画面に表示されるように描画反映させることを特徴とするプログラム。
【請求項１５】
ネットワークを介して接続された複数の情報処理装置を有するシステムにおける前記情報処理装置が実行する方法あって、
他の情報処理装置と画面を共有する複数のページを含む表示コンテンツを第１の共有画面に表示させる表示工程と、
前記第１の共有画面上の少なくともページ送り操作を含む入力操作の権限を有している場合に前記入力操作の入力を受け付ける入力操作受付工程と、
前記受け付けた入力操作の操作情報を前記他の情報処理装置へ送信する送信工程と、
前記権限を有している前記他の情報処理装置の第２の共有画面上の入力操作の操作情報を受信する受信工程と、
前記第１の共有画面の前記表示コンテンツの表示に対して、前記受信した操作情報に従って入力操作を描画反映する描画工程と、
表示画面の画面共有モードの設定指示を受け付ける第二の受付工程と、
を有し、
前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、
前記第２のページを表示している際に前記画面共有モードの設定指示に従って前記入力操作を前記共有しない設定から前記共有する設定に切り換えられた場合に、前記受信手段によって受信したページ送り操作の操作情報に従って、前記第１のページが前記第１の共有画面に表示されるように描画反映させることを特徴とする情報処理方法。
【手続補正２】
【補正対象書類名】明細書
【補正対象項目名】発明の名称
【補正方法】変更
【補正の内容】
【発明の名称】システム、システムが実行する方法、情報処理装置、プログラムおよび情報処理が実行する方法
【手続補正３】
【補正対象書類名】明細書
【補正対象項目名】０００１
【補正方法】変更
【補正の内容】
【０００１】
本発明は、システム、システムが実行する方法、情報処理装置、プログラムおよび情報処理が実行する方法に関するものである。
【手続補正４】
【補正対象書類名】明細書
【補正対象項目名】０００８
【補正方法】変更
【補正の内容】
【０００８】
上記目的を達成するため、本発明にあっては、ネットワークを介して接続された複数の情報処理装置を有するシステムであって、前記複数の情報処理装置の少なくとも１以上の情報処理装置が、他の情報処理装置と画面を共有する複数のページを含む表示コンテンツを第１の共有画面に表示させる表示手段と、前記第１の共有画面上の少なくともページ送り操作を含む入力操作の権限を有している場合に前記入力操作の入力を受け付ける入力操作受付手段と、前記受け付けた入力操作の操作情報を前記他の情報処理装置へ送信する送信手段と、前記権限を有している前記他の情報処理装置の第２の共有画面上の入力操作の操作情報を受信する受信手段と、前記第１の共有画面の前記表示コンテンツの表示に対して、前記受信した操作情報に従って入力操作を描画反映する描画手段と、表示画面の画面共有モードの設定指示を受け付ける第二の受付手段と、を有し、前記画面共有モードの設定指示に従って前記入力操作を共有する設定から共有しない設定に切り換えられた場合に、前記権限を有していなくとも前記表示コンテンツに対するページ送り操作を受け付け可能とする一方で、前記権限を有している前記他の情報処理装置の第２の共有画面上において受け付けた前記ページ送り操作を自装置の画面に表示されている前記表示コンテンツの表示に描画反映せず、前記共有しない設定の際に受け付けたページ送り操作に従って、前記権限を有している前記他の情報処理装置の第２の共有画面上に表示されている第１のページとは異なる第２のページを表示し、前記第２のページを表示している際に前記画面共有モードの設定指示に従って前記入力操作を前記共有しない設定から前記共有する設定に切り換えられた場合に、前記受信手段によって受信したページ送り操作の操作情報に従って、前記第１のページが前記第１の共有画面に表示されるように描画反映させる。